(57)【要約】【課題】  外刃に対する皮膚の押圧力を均一化することにより外刃の広い範囲で均質で良好な剃り味を得られるようにする。【解決手段】  本体（１０）に装着された外刃枠（２０）と、この外刃枠（２０）に保持され環状の薄肉層（２８）の上面を剃り面とした外刃（１４）と、外刃（１４）の下面に下方から摺接する刃体（３８）が形成されモータにより回転駆動される内刃（１６）とを備えるロータリー式電気かみそりにおいて、内刃（１６）の回転中心となる中心軸線Ａを含む半径方向の縦断面上で、薄肉層（２８）を上方へ凸な略円弧状に形成すると共に、その少なくとも頂点付近の肉厚を頂点で最も薄くし頂点から離れるに伴って次第に厚くなるようにした。【選択図】      図３
2006223373.tif 000002
【特許請求の範囲】
【請求項１】
本体に装着された外刃枠と、この外刃枠に保持され環状の薄肉層の上面を剃り面とした外刃と、前記薄肉層の下面に下方から摺接する刃体が形成されモータにより回転駆動される内刃とを備えるロータリー式電気かみそりにおいて、
内刃の回転中心となる中心軸線を含む半径方向の縦断面上で、前記薄肉層を上方へ凸な略円弧状に形成すると共に、その少なくとも頂点付近の肉厚を頂点で最も薄くし頂点から離れるに伴って次第に厚くなるようにしたことを特徴とするロータリー式電気かみそり。
【請求項２】
剃り面の頂点付近の曲率中心が薄肉層の下面の曲率中心よりも前記剃り面の頂点から遠く、かつこれらの曲率中心が共に剃り面の頂点を通り中心軸線に平行な直線上に位置する請求項１のロータリー式電気かみそり。
【請求項３】
剃り面は中心軸線に略直交する平面で半径方向の所定範囲を外刃と略同心かつ略円環状に切除した形状である請求項１のロータリー式電気かみそり。
【請求項４】
剃り面は中心軸線に対して非直交な平面で切除した形状である請求項１のロータリー式電気かみそり。
【請求項５】
複数の外刃および内刃を備え、各外刃の剃り面は外刃枠の中心側の所定周方向範囲が平面視で略弧状に切除した形状である請求項４のロータリー式電気かみそり。
【請求項６】
剃り面を中心軸線に略直交する平面で切除した半径方向の所定範囲が、薄肉層の下面に摺接する内刃の刃体の接触幅内に位置する請求項３のロータリー式電気かみそり。
【発明の詳細な説明】
【技術分野】
【０００１】
この発明は、外刃に形成した環状の薄肉層の上面を剃り面とし、この薄肉層の下面に下方から内刃を摺接させつつ回転させることにより、薄肉層に形成した髭導入孔に進入した髭を内刃でカットするロータリー式電気かみそりに関するものである。
【背景技術】
【０００２】
この種の電気かみそりにおいて、外刃の薄肉層に形成したスリットなどの髭導入孔（以下スリットともいう）に、皮膚を強く押し付けた時に皮膚がスリットから入り込み、内刃によって過度に深剃りされたり、髭剃り後に皮膚にヒリヒリ感が発生することがある。このような不都合が発生するのを防ぐためには、スリット幅を狭くするか、外刃を厚くすればよいのは明らかである。ここに外刃を厚くすることは、スリットを挟むリブの厚さ方向の寸法（中心軸線に平行な方向の寸法）を大きくすることである。
【０００３】
【特許文献１】特開平７−１８５１４８
【０００４】
特許文献１には、外刃に形成した環状の薄肉層の上面（剃り面）および下面を中心軸線を含み半径方向の平面で断面した縦断面で上方へ凸に形成し、外刃の半径方向の縦断面形状を略一定厚さの円弧状とするものが示されている。この先行技術では、外刃の薄肉層の曲率を適切に設定することによって剃り味を向上させるものである。すなわち内刃の内・外径に対応する外刃上面の２点をつなぐ直線と、外刃上面の最も高い位置（頂点）との寸法を所定範囲に設定するものである。
【発明の開示】
【発明が解決しようとする課題】
【０００５】
このように外刃の薄肉層を上に凸に湾曲させた場合は外刃の剛性が増大し、皮膚に対する外刃の押圧力を大きくすることが可能になる。また、外刃の薄肉層上面すなわち剃り面の中央（頂点）付近が上方に突出しているから、ここに皮膚を押し当てた時には皮膚はここに強く当たり、中央から離れた位置で押圧力が弱くなることになる。このため外刃のスリット幅を一定にした場合に、剃り面の中央付近で皮膚が外刃のスリットに深く入り込み、過度な深剃りとなったり、髭剃り後に皮膚にヒリヒリ感が発生するという問題が生じ得る。
【０００６】
このような不都合が生じるのを防ぐためには、スリット幅が一定の時には外刃の薄肉層を十分に厚くすればよいことは前記した通りである。しかし薄肉層を厚くすると皮膚の外刃に対する押圧力が弱くなる部分、すなわち薄肉層の頂点から離れた部分では十分に深く剃ることができなくなる。このため剃り味が悪くなるという問題があった。
【０００７】
この発明はこのような事情に鑑みなされたものであり、外刃に対する皮膚の押圧力を均一化することにより外刃の広い範囲で均質で良好な剃り味を得られるようにしたロータリー式電気かみそりを提供することを目的とする。
【課題を解決するための手段】
【０００８】
この発明によればこの目的は、本体に装着された外刃枠と、この外刃枠に保持され環状の薄肉層の上面を剃り面とした外刃と、前記外刃の下面に下方から摺接する刃体が形成されモータにより回転駆動される内刃とを備えるロータリー式電気かみそりにおいて、内刃の回転中心となる中心軸線を含む半径方向の縦断面上で、前記薄肉層を上方へ凸な略円弧状に形成すると共に、その少なくとも頂点付近の肉厚を頂点で最も薄くし頂点から離れるに伴って次第に厚くなるようにしたことを特徴とするロータリー式電気かみそり、により達成される。
【発明の効果】
【０００９】
外刃の薄肉層を半径方向縦断面上で上方へ凸な略円弧状とし、その少なくとも頂点付近の肉厚を最も薄くし頂点から離れるに伴って次第に厚くなるようにしたから、薄肉層の頂点付近の突出量が減少して押圧力の頂点付近への集中が緩和され、剃り面の頂点付近と頂点から離れた位置との押圧力の差が小さくなり、皮膚の外刃に対する押圧力が均一化する。この結果外刃の剃り面の広い範囲で均質な剃り味を得ることができる。
【００１０】
また外刃の剃り面を皮膚の上で滑らせると皮膚は外刃の内・外周に強く当たるが、この部分では外刃が厚いので過度な深剃りとならずに髭をスリットの中に導くことができる。この状態で外刃を移動させればスリットに入った髭は薄肉層の薄い部分に導かれ、ここで十分に深く剃り上げることができる。このため適度な深剃りとなり剃り味が良好になる。
【発明を実施するための最良の形態】
【００１１】
外刃は１つの環状の薄肉層を有するものが適する。すなわち外刃の半径方向の縦断面上で、薄肉層が略円弧状となる範囲が広くなるので、その中央付近（頂点付近）の厚さを薄くする範囲が大きくなり、本発明の効果が大きくなるからである。しかし外刃に２つの薄肉層を有するもの（ダブルトラック）や３つ以上の薄肉層を有するものに適用することも可能であり、本発明はこのようなものを含む。
【００１２】
本発明の外刃は、剃り面の頂点付近の曲率半径中心（曲率中心）が薄肉層の下面の曲率中心よりも剃り面から遠くし、かつこれらの曲率中心を共に剃り面の頂点を通り中心軸線に平行な直線上に位置させることにより得られる（請求項２）。薄肉層の上面（剃り面）は半径方向の縦断面上で１つの曲率半径に沿わせる代わりに、最も高い位置（頂点）を含む半径方向の所定範囲を内刃の回転中心となる中心軸線に略直交する平面で切除した形状としてもよい（請求項３）。この場合切除した平面の曲率半径は無限大であるから、下面の曲率半径より大きいのは明らかである。
【００１３】
薄肉層の上面を切除する平面は、外刃中心軸線に略直交する平面とすれば、切除した所定幅の部分は外刃と略同心かつ略円環状になる（請求項３）。しかしこの発明はこの平面を中心軸線に非直交な平面としてもよく、この場合は切除した所定幅の部分は平面視で略弧状となったり周方向に幅が変化する円となる（請求項４）。このようにすれば薄肉層の肉厚が薄い半径方向の範囲が周方向に変化するので、外刃の周方向の角度変化によって剃り味を変化させることができる。
【００１４】
例えば複数の外刃および内刃を有する場合には、外刃枠の外周側で押圧力が大きくなり深剃りになり易いので、薄肉層の上面で切除する範囲がこの外刃枠の外周側で狭くなるようにしたり、外刃枠の中心側の所定周方向範囲で平面視略弧状になるようにするのがよい（請求項５）。
【００１５】
薄肉層の上面を切除した幅は内刃が薄肉層の下面に接触する接触幅の中に含まれるようにすれば、内刃の接触縁の両端がこの所定幅から外れることになる（請求項６）。内刃の接触縁の両端は鋭く尖っているためここに皮膚が触れると皮膚を傷め易いが、この部分は薄肉層の厚い部分に位置することになるため、皮膚を傷めるおそれがなくなる。
【実施例１】
【００１６】
図１は本発明の一実施例の外観斜視図、図２はその１つの刃ユニットの側断面図、図３はその外刃の一部拡大断面図である。
【００１７】
図１において符号１０は本体部、１２はその上部に開閉可能または着脱可能に取り付けられた刃ヘッド部である。この刃ヘッド部１２には、外刃１４，内刃１６などで形成される刃ユニット１８が３組取付けられている。３つの刃ユニット１８に対応する外刃１４はその中心が正三角形の頂点に位置する。
【００１８】
刃ヘッド部１２は本体部１０に対して上方へ開閉可能または着脱可能な外刃枠２０を持つ。外刃１４は外刃枠２０に外刃枠１８に形成された３つの外刃装着孔に装着されている。この外刃１４を含む刃ユニット１８は上向き、すなわち外刃１４が上方へ突出する方向に付勢されている。
【００１９】
外刃１４は金属板で略円盤形に作られている（図２）。外刃１４の上面の中央には平面視円形の凹部２２が形成されこの凹部２２の中央には円形の開口２４が形成されている。この開口２４には後記する内刃１６の先端が係入して内刃１６の軸振れを防いでいる。外刃１４の凹部２２には上からキャップ２６が固定されている。
【００２０】
外刃１４の上面には上から見て、中心軸線Ａを中心として環状に上方へ膨出する薄肉層２８が凹部２２およびキャップ２６を囲んで形成されている。この薄肉層２８の上面が剃り面となり、下面が後記内刃走行溝３４となる。なお薄肉層２８は実際は極めて薄いが図では理解し易くするため厚く示されている。
【００２１】
外刃１４には、その中心軸線Ａ（図２）から略半径方向に前記薄肉層２８を横断してほぼ放射方向に多数のスリット３０が形成されている。すなわちスリット３０は、図２で中心軸線Ａを通る半径方向の直線に対して一定角度傾いた直線に沿って形成されている。隣接するスリット３０、３０の間に残ったリブ３２の下面が内刃１６と協働して髭をカットする刃となる。なお以下半径方向の縦断面とは、正確にはスリット３０に沿った方向の縦断面であるが、スリット３０に沿う縦断面を含むものであってもよく、ここでは特に区別しない。
【００２２】
外刃１４のリブ３２の上・下面は、中心軸線Ａを中心とする半径方向の縦断面図（図３）で、薄肉層２８の中央すなわち頂点を通り中心軸線Ａと平行な垂直線Ｂ上に位置する曲率半径の中心（曲率中心）Ｃを中心とする円弧状の曲面で形成されている。すなわちリブ３２の下面の曲率半径をＲ1とした場合、リブ３２の上面の曲率半径Ｒ2は、リブ３２の厚さをａとして、Ｒ2＝Ｒ1＋ａとなる。
【００２３】
またこのリブ３２の上面は頂点Ｄを含む所定範囲ｂが、中心軸線Ａ（図２）に直交する平面Ｅにより切除されている。この所定範囲ｂでは上面は平坦なのでその曲率半径Ｒ3は無限大である。
【００２４】
外刃１４の薄肉層２８の下面（すなわちリブ３２の下面）は、内刃走行溝（環状のトラック）３４となっている。内刃走行溝３４は下から見てその内面（底面）が曲率半径Ｒ1の曲面となっている。
【００２５】
内刃１６は下方に向かって開く樹脂製のボス部３６と、このボス部３６を囲んで周方向に等間隔に固定された多数の刃体３８とを持つ。多数の刃体３８は環状に連結したものであってもよい。刃体３８は上部が内刃走行溝（トラック）３４に下方から摺接する。これら刃体３８の上縁は前記リブ３２の下面と同じ曲率半径Ｒ1の曲面に研磨された刃となる。または体３８の半径方向の幅ｃ（図２）は、外刃１４の薄肉層２８の内側に位置する。
【００２６】
ボス部３６には下方に向かって開く平面視四角形の係合孔４０が形成され、ここに本体部１０から突出する駆動軸４２が係合する。この駆動軸４２の上端には四角球状の係合頭部４４が形成され、これがボス部３６の係合孔４０に下から係入する。駆動軸４２は本体部内１０に収容されたモータ（図示せず）により回転駆動され、内刃１６を回転させる。
【００２７】
駆動軸４２は上方へ突出する向きに復帰習性を持ち、内刃１６を上向きに押圧する。このため内刃１６の刃体３８が外刃１４の内刃走行溝３４を下方から弾性的に押圧する。なお外刃１４はその外周に外径方向に突出するフランジ４６が形成され、フランジ４６が外刃枠２０の外刃装着孔（図示せず）の内部に下方から係合している。このため外刃１４および内刃１６を含む刃ユニット１８は外刃枠２０に対して弾性をもって下方へ沈み込み可能である。
【００２８】
この実施例によれば内刃走行溝（トラック）３４に対向する外刃１４の上面すなわちリブ３２の上面は、頂点を含む所定範囲ｂが中心軸線Ａに直交する平面Ｅで切除された形状となっているから、上面の高さが滑らかに変化する。従って薄肉層２８は頂点Ｄで最も薄く、この頂点Ｄから離れるのに伴って次第に厚くなる。このため皮膚を外刃１４の剃り面に垂直に押し当てると、外刃１４の剃り面の表面に均一に当たり、押圧力が平均化される。このため広い範囲で均等かつ円滑に髭を剃ることができる。
【００２９】
また頂点Ｄ付近が最も薄くなり、頂点Ｄから半径方向に沿って離れるのに従って次第に厚くなるため皮膚を外刃１４に対して垂直にして外刃１４に押し当てると、中央付近で適切な深剃りが可能である。
【００３０】
皮膚に対して平行に外刃１４が移動すると、外刃１４の外周あるいは内周側に皮膚が強く当たることになるが、この付近では外刃１４が厚いので過度な深剃りとなることがない。またこの外刃１４の周側に皮膚が強く押し付けられると、髭がスリット３０に入り易くなる。この状態で外刃１４が移動すると髭はスリット３０に導かれて半径方向中央付近に移動し、薄い所定範囲ｂで適度に深剃りができる。また内刃１６の刃体３８は外刃１４の薄肉層２８の内側に位置するので、刃体３８の両端は外刃の厚い領域に入ることになり、皮膚を刃体３８の両端で傷めるおそれがない。
【実施例２】
【００３１】
図４は他の実施例の外刃を示す半径方向縦断面図である。この実施例は外刃１４Ａのリブ３２Ａの下面の曲率半径Ｒ1に対して上面の曲率半径Ｒ2を十分に大きくし、上面の曲率中心Ｃ2は下面の曲率中心Ｃ1よりも直線Ｂ上で外刃１４Ａから遠くなるようにしたものである。すなわちＲ2＞Ｒ1＋ａとしたものである。
【００３２】
この実施例によればリブ３２ＡはＣ1を中心とする仮想的な曲面（二点鎖線参照）の頂点Ｄ付近で最も薄くなり、ここから半径方向に離れるのに伴って厚さが連続的に増大する。従って前記実施例１と同様な効果が得られる。特にリブ３２Ａの上面の曲率が一定で滑らかであるから、剃り味は前記実施例１に比べて一層滑らかになる効果が得られる。
【実施例３】
【００３３】
図５は他の実施例の外刃１４Ｂの配置を示す図である。これらの外刃１４Ｂはそれらの中心Ａが正面視で正三角形に配列されている。また各外刃１４Ｂは三角形ＡＡＡの内側部分（斜線部分）が前記した図３または図４の構造を持ち、三角形ＡＡＡの外側部分が前記した厚さが一定の構造を持つ。すなわち斜線部分の外刃は頂点付近の所定範囲で薄く、非斜線部分の外刃は厚さが斜線部分の内・外周側とほぼ同じ十分に大きく一定である。
【００３４】
このため外刃１４Ｂを移動させた時に外刃枠の外周側で皮膚が外刃１４Ｂの外縁によって皺となっても、外刃１４Ｂは外刃枠の外周側で厚さが一定で大きいから皮膚が刃体３８に到達しにくくなり、皮膚を傷めるおそれがなくなる。また三角形ＡＡＡの中央付近に皮膚を押し付ければ、この領域の外刃１４Ｂは頂点付近が薄いので軽い押付け力で軽く滑らかにかつ十分に深く剃ることができる。このように皺の発生状況などを考慮して図３，４の構造と厚さ一定の構造とを組合せることができる。
【図面の簡単な説明】
【００３５】
【図１】本発明の一実施例の外観斜視図
【図２】１つの刃ユニットの側断面図
【図３】外刃一部の拡大断面図
【図４】他の実施例を示す外刃の一部拡大断面図
【図５】他の実施例を示す外刃の配置図
【符号の説明】
【００３６】
１０  本体部
１２  ヘッド部
１４、１４Ａ、１４Ｂ  外刃
１６  内刃
１８  刃ユニット
２０  外刃枠
２８  薄肉層
３０  スリット
３２、３２Ａ  リブ
３４  内刃走行溝（トラック）
３８  刃体
Ａ  中心軸線
Ｂ  頂点を通り中心軸線Ａに平行な直線
Ｃ、Ｃ1、Ｃ2  曲率中心
Ｅ  中心軸線に直交する平面
Ｒ1、Ｒ2  曲率半径
【図１】
2006223373.tif 000003
【図２】
2006223373.tif 000004
【図３】
2006223373.tif 000005
【図４】
2006223373.tif 000006
【図５】
2006223373.tif 000007